(57)【要約】      （修正有）【課題】即席注入式飲料の素材を有する容器ビン・キャップの構造を提供する。【解決手段】下段キャップ１と上段キャップ２と薄膜３とを含み、下段キャップ１の周縁に封着部１１を環設し、且つ封着部１１上縁に引っ掛け部１２を設け、且つ下段キャップ１下端は斜め切り口状を呈し、更に上段キャップ２の中間から切り込み管２１を下段キャップ１の中に差し込み、切り込み管２１の下端は同様に斜め切り口状を呈し、上段キャップ２内側面の辺縁に掛止部２２を設けてあるので、掛止部２２が引っ掛け部１２に掛着し、上段キャップ２と下段キャップ１が相互に掛着し、又上段キャップ２内側面に数個の気密リング２３が設置し、即席飲料の素材２００を上段キャップ２の切り込み管２１の中に入れ、更に薄膜３によって下段キャップ１下端を封合することを特徴とする。【選択図】図２
0003143301.tif 000002
【実用新案登録請求の範囲】
【請求項１】
下段キャップと、上段キャップと、薄膜と、を含む容器ビン・キャップの構造であって、
前記下段キャップの周縁には、封着部を環設し、且つ封着部上縁には引っ掛け部を設け、更に下段キャップの下端は斜め切り口状を呈しており、
前記上段キャップの中心から下方へ切り込み管を延伸し、前記切り込み管の下端は斜め切り口状を呈し、又上段キャップ下端の内側面には掛止部を設け、更に上段キャップ内側面の適所には一個以上の気密リングを設置し、前記上段キャップの切り込み管は下段キャップの中へ差し込まれ、上段キャップの掛止部が下段キャップの引っ掛け部に掛着し、
前記薄膜は下段キャップ下端の斜め切り口に封合されることを特徴とする、即席注入式飲料の素材を有する容器ビン・キャップの構造。
【請求項２】
下段キャップと、上段キャップと、薄膜と、を含む容器ビン・キャップの構造であって、
前記下段キャップの周縁には封着部を環設し、且つ封着部上縁に引っ掛け部を設け、上段キャップの掛止部と相互に掛着できるようになっており、
前記上段キャップ側辺には板体を下方へ延伸し、且つ上段キャップ下端の内側面には掛止部を設け、更に上段キャップ内側面には一個以上の気密リングを設置しており、前記上段キャップの板体は下段キャップの中に差し込まれ、上段キャップの掛止部は下段キャップの引っ掛け部に掛着できるようになっており、
前記薄膜は、下段キャップの下端に封合され、且つ薄膜と上段キャップの板体端面は貼り合わせて一体となっていることを特徴とする、即席注入式飲料の素材を有する容器ビン・キャップの構造。
【請求項３】
下段キャップと、内設管体と、上段キャップと、薄膜と、を含む容器ビン・キャップの構造であって、
前記下段キャップの周縁には封着部が環設され、且つ封着部上縁には引っ掛け部を設け、上段キャップの掛止部と相互に掛着できるようになっており、また下段キャップ内側面に内ネジ山を設置し、内設管体の外ネジ山と相互に螺合出来るようになっており、
前記内設管体上端面には一個以上の差込穴を開設し、内設管体の外側には外ネジ山が設置しており、前記内設管体は外ネジ山によって下段キャップの内ネジ山と螺合し、
前記上段キャップから下方へ向かって一個以上の差込柱が延伸され、且つ上段キャップ下端の内側面に掛止部があり、更に上段キャップ内側面に一個以上の気密リングを設置してある；前記上段キャップの差込柱は内設管体の差し込み穴中に差し込まれ、上段キャップの掛止部は下段キャップの引っ掛かり部に掛着し、
前記薄膜は、下段キャップの下端に封合されることを特徴とする、即席注入式飲料の素材を有する容器ビン・キャップの構造。
【請求項４】
下段キャップと、内設管体と、上段キャップと、薄膜と、を含む容器ビン・キャップの構造であって、
前記下段キャップの周縁には封着部を環設し、且つ封着部上縁の適所に引っ掛け部を設け、上段キャップの掛止部と相互に掛着できるようになっており、又下段キャップの内側面に対応するスライド溝を設け、内設管体のスライド・レールがその上で上下に滑り移動することが出来るようになっており、又前記スライド溝下端には当止部を形成し、内設管体の位置を制限し、
前記内設管体の上端面にはネジ穴を開設し、内設管体外側面に対応する二本のスライド・レールをそれぞれ設置しており、前記内設管体はスライド・レールによって下段キャップのスライド溝の中に設置されており、
前記上段キャップの中心から下方へ向かってスクリュウ・ロッドが延伸され、且つ上段キャップ下端の内側面に掛止部があり、又上段キャップの内側面に一個以上の気密リングを設置しており、前記上段キャップのスクリュウ・ロッドは内設管体のネジ穴に螺合し、上段キャップの掛止部は下段キャップの引っ掛け部に掛着し、
前記薄膜は下段キャップの下端に封合されることを特徴とする、即席注入式飲料の素材を有する容器ビン・キャップの構造。
【請求項５】
前記下段キャップの上端辺縁は、やや斜め角度を呈し、上・下段キャップの相互掛着する掛着度合いを強めることを特徴とする、請求項１乃至請求項４の何れか１項に記載の即席注入式飲料の素材を有する容器ビン・キャップの構造。
【考案の詳細な説明】
【技術分野】
【０００１】
本考案は、任意の即席飲料の素材を充填できる容器ビン・キャップの構造に係り、特に市販の統一規格の容器ビンの口径を封じつけることが出来、且つ衛生的で安全性に優れた即席注入式飲料の素材を有する容器ビン・キャップの構造に関する。
【背景技術】
【０００２】
一般市場には、多種類のお茶類飲料及び滋養飲料、例えば、ウーロン茶・冷水茶及び朝鮮ニンジン茶のような飲み物が、売り出されている、商店では、関連飲料が販売されていて、お茶を好み、養生を重視する人々は、いつでも飲める、しかし、外出者が入れたての冷水茶や朝鮮ニンジン茶を飲みたくても、基本的に望めないことで、お茶の愛好者や養生する人々を失望させている、しかも、上述お茶類飲料は、事前に完成されているので、その新鮮度及び持久性や味は、入れたてのお茶類や滋養飲料には到底及ばない。
【０００３】
此れで分かるように、上述従来の方式には、尚幾多の欠点があり、よい設計ではなく、改良が待たれていた。
【考案の開示】
【考案が解決しようとする課題】
【０００４】
そこで、本考案者は、上述の従来方式に派生する各項の欠点に鑑み、極力新規改良を試み、且つ長年苦心研鑽の末、ついに本案に係る即席注入式飲料の素材を有する容器ビン・キャップの構造の開発に成功した。
【０００５】
本考案の目的は、任意の即席飲料の素材を充填でき、且つ市場の統一規格の容器ビンの口径を封じつけ、衛生的で安全性に優れた即席注入式飲料の素材を有する容器ビン・キャップの改良構造を提供することにある。
【０００６】
本考案のもう一つの目的は、構造が簡単で操作が便利且つ余分の人手で加工を必要としない即席注入式飲料の素材を有する容器ビン・キャップの改良構造を提供することにある。
【課題を解決するための手段】
【０００７】
上述実用新案の目的を達成できる即席注入式飲料の素材を有する容器ビン・キャップの構造には、下段キャップと、上段キャップと、薄膜と、を含み、前記下段キャップの周縁には封着部を環設し、前記封着部は市場の統一規格の容器ビンの口径に封着させることが出来、又、封着部上縁の適所に引っ掛け部が設置され、前記下段キャップの下端は斜め切り口状を呈している。更に上段キャップから延伸された切り込み管を下段キャップの中に挿入し、前記切り込み管の下端は同様に斜め切り口状を呈している。又、上段キャップ内側面の下端辺縁に掛止部を設置し、前記掛止部は下段キャップの引っ掛け部と相互に掛着し、上段キャップと下段キャップが相互に一体となり、又、上段キャップ内側面に一個以上の気密リングを設置してある。
【０００８】
ここで、即席飲料の素材（例えばお茶の粉、朝鮮ニンジンの粉等）を上段キャップの切り込み管の中に入れ、更に一枚の薄膜で下段キャップ下端の斜め切り口を封じつけると、上・下段キャップ間の即席飲料の素材を入れたところが気密状態になり、即席飲料の素材（内容物）が湿ることを避けられることによって、本案即席注入式飲料の素材を有する容器ビン・キャップの構造を構成することが出来る。
【考案の効果】
【０００９】
本考案に係る即席注入式飲料の素材を有する容器ビン・キャップの構造は、その他従来の技術に比べ、更に下記のような長所がある。
【００１０】
１．本考案は、前記ビン・キャップに任意の即席飲料の素材を充填することが出来、又市販の統一規格の容器ビンのビン口径に封着させ、且つ衛生的で安全性が良好な状態を保つことが出来る。
【００１１】
２．本考案は、構造が簡単で、操作が便利且つ余分の人手加工を必要としない即席注入式飲料の素材を有する容器ビン・キャップの改良構造である。
【考案を実施するための最良の形態】
【００１２】
以下、本考案の実施の形態を図面に基づいて説明する。
【００１３】
図１Ａ、図１Ｂ及び図２は、本考案に係る即席注入式飲料の素材を有する容器ビン・キャップの構造の第一実施例図であり、主として、  下段キャップ１と、上段キャップ２と、薄膜３と、を含み、前記下段キャップ１の上端辺縁はやや斜め角度を呈し、又前記下段キャップ１の周辺に封着部１１を環設し、且つ封着部１１上縁の適所に引っ掛け部１２を設置することによって、上段キャップ２の掛止部２２と相互に掛着する。尚、前記下段キャップ１の下端は斜め切り口状を呈している。前記封着部１１は、市販の統一規格の容器ビン１００のビン口径に封着することが出来る。前記下段キャップ１は、プラスチックで製作されている。
【００１４】
前記上段キャップ２の中心には、切り込み管２１が下方へ延伸され、前記切り込み管２１の下端は斜め切り口状を呈している。また、上段キャップ２の下端内側面に掛止部２２があり、上段キャップ２の内側面の適所には一個以上の気密リング２３を設置してある。前記上段キャップ２の切り込み管２１は、下段キャップ１の中に差し込まれ、そして上段キャップ２の掛止部２２は下段キャップ１の引っ掛け部１２に掛着する。前記切り込み管２１の中には任意の即席飲料の素材２００を充填することが出来る。前記即席飲料の素材は、お茶の粉・朝鮮ニンジン粉・コーヒー粉などであってよい。前記上段キャップ２は、プラスチックで製作されている。前記薄膜３は、下段キャップ１下端の斜め切り口に封合されている。
【００１５】
前記上段キャップ２と下段キャップ１は相互に掛着して一体となり、前記下段キャップ１はプラスチックで製作されているので、下段キャップ１上端の斜角状辺縁が上段キャップ２の内側面に接触すると、押し付けられ、一層好ましい気密効果を生じ、又上・下段キャップ２・１が相互掛着する緊密度を強めることが出来る（図１Ｂ参照）。即席飲料の素材２００を下段キャップ１の切り込み管２１の中に充填したあと、更に薄膜３で下段キャップ１下端の斜め切り口を封じつけると、上・下段キャップ２・１の間に即席飲料の素材２００を入れたところが気密状態をなし、即席飲料の素材２００が湿ることを避けることが出来る。消費者が飲用する時は、上・下段キャップ２・１下端が何れも斜め口状を呈すことを利用して、上段キャップ２をひねり回すだけで、切り込み管２１の斜め口最先端で下段キャップ１の薄膜３を切り裂き、切り込み管２１内の即席飲料の素材２００を容器ビン１００の中に落とし入れることが出来（図２参照）、消費者は容易く溶かした飲料品を飲むことが出来、消費者大衆にとっては、かなり簡単且つ便利であると言える。
【００１６】
図３と図４は、第二の実施例図及び操作略図であり、下段キャップ１と、上段キャップ２と、薄膜３と、を含む。前記下段キャップ１の上端辺縁はやや斜め角度を呈し、又前記下段キャップ１の周縁には封着部１１を環設し、且つ封着部１１上縁の適所に引っ掛け部１２を設置することによって、上段キャップ２の掛止部２２と相互に掛着する。前記封着部１１は市販の統一規格の容器ビン口径に封着することが出来る。前記下段キャップ１はプラスチックで製作されている。
【００１７】
前記上段キャップ２の側辺には板体２４が下方へ延伸され、且つ上段キャップ２下端の内側面に掛止部２２を設け、又上段キャップ２内側面の適所に一個以上の気密リング２３を設置してある。前記上段キャップ２の板体２４は下段キャップ１の中へ差し込まれ、上段キャップ２の掛止部２２は下段キャップ１の引っ掛け部１２に掛着する。前記上段キャップ２と下段キャップ１とが相互に掛着した後、上段キャップ２の中に任意の即席飲料の素材２００を充填することが出来る。前記即席飲料の素材２００はお茶の粉・朝鮮ニンジン粉・コーヒー粉であってよい。前記上段キャップ２はプラスチックで製作されている。
【００１８】
前記薄膜３は、下段キャップ１下端に封合され、且つ薄膜３と上段キャップ２の板体２４端面は相互に貼り合わせて一体となっている。  上述上・下段キャップ２・１が相互に一体となって掛着したあと、消費者は同様に上段キャップ２をひねり回し、且つ上段キャップ２の板体２４の一端を薄膜３に貼り合わせる方式によって、前記板体２４が薄膜３を同期的に突き破り、上段キャップ２の中の即席飲料の素材２００を容器ビン１００の中へ落としいれ（図４に示すように）、同様に楽々と即席注入して作られた飲料を飲むことが出来る。
【００１９】
図５Ａと図５Ｂは、第三実施例示図及び操作概略図であり、下段キャップ１と、内設管体４と、上段キャップ２と、薄膜３と、を含む。前記下段キャップ１の上端辺縁は、やや斜め角度を呈し、又前記下段キャップ１の周縁には、封着部１１が環設され、且つ封着部１１上縁の適所に引っ掛け部１２を設置することによって、上段キャップ２の掛止部２２と相互に掛着し、又下段キャップ１の内側面に内ネジ山１３を設けることによって、内設管体４の外ネジ山４２と螺合することが出来る。前記封着部１１は、市販の統一規格容器ビン１００のビン口径に封着することが出来る。前記下段キャップ１は、プラスチックで製作されている。
【００２０】
前記内設管体４の上端面に一個以上の差込穴４１を開設し、内設管体４の外側には外ネジ山４２が設けてある。前記内設管体４は外ネジ山４２によって下段キャップ１の内ネジ山１３と螺合する。前記内設管体４の中に任意の即席飲料の素材２００を充填することが出来る。前記即席飲料の素材２００は、お茶の粉・朝鮮ニンジン粉・コーヒー粉などであってよい。前記内設管体４の下端にフィルター・キャップ４３（図５参照）を設置し、且つフィルター・キャップ４３に数個のフィルター穴４３１を開設することによって、お茶の葉・朝鮮ニンジン茶などの即席飲料の素材にお湯を注ぐことが出来る。又前記内設管体４のフィルター・キャップ４３に数個のフィルター穴（図示せず）を開設することによって、お茶の葉・朝鮮ニンジン茶などの飲料素材を浸すことが出来る。
【００２１】
前記上段キャップ２の適所に下向きに一個以上の差込柱２５を延伸し、且つ上段キャップ２下端の内側面に掛止部２２を設け、又上段キャップ２の内側面適所に一個以上の気密リング２３を設置する。前記上段キャップ２の差込柱２５は内設管体４の差込穴４１の中に差し込まれ、上段キャップ２の掛止部２２は下段キャップ１の引っ掛け部１２へ掛着する。前記上段キャップ２はプラスチックで製作されている。前記薄膜３は、下段キャップ１の下端に封合されている。
【００２２】
消費者は、上段キャップ２をひねり回すだけで、上段キャップ２の差込柱２５が捻じ曲がる方式で同期的に内設管体４を回し、一定距離回すと、内設管体４の先端が薄膜３を突き破り、その中にある即席飲料の素材２００を容器ビン１００の中に落としこむ、（図６Ａ参照）。尚、フィルター・キャップ４３を付け加える実施方式もある。消費者が即席飲料の素材２００にお湯をつぎ込み、同じように上段キャップ２をひねり回すと、その上の差込柱２５が内設管体４の差込穴４１から離脱する。この時、内設管体４はひねり回されず引き続き下へ移動し、即席飲料の素材２００を充填した内設管体４はお湯や水を入れた容器ビン１００の中に浸かる状態となり、フィルター・キャップ４３の設置があるため、即席飲料の素材２００が容器ビン１００の中に落ち込むのを防ぎ、（図６Ｂ参照）、消費者は即席飲料の素材２００を飲み込まないで済む。
【００２３】
図７Ａと図７Ｂは、第四実施例示図及び操作概略図であり、下段キャップ１と、内設管体４と、上段キャップ２と、薄膜３と、を含む。前記下段キャップ１の上端辺縁はやや斜め角度を呈し、又前記下段キャップ１の周縁には封着部１１を環設し、且つ封着部１１上縁の適所に引っ掛け部１２を設けることによって、上段キャップ２の掛止部２２と相互に掛合し、又下段キャップ１の内側面に対応するスライド溝１４を設置することによって、内設管体４のスライド・レール４５が上下にスライドして移動し、且つ前記スライド溝１４の下端に当止部１５を形成することによって、内設管体４の位置を制限出来る。前記封着部１１は、市販の統一規格容器ビンの口径に封着することが出来る。前記下段キャップはプラスチックで製作されている。
【００２４】
前記内設管体４の上端面にネジ穴４４を開設し、内設管体４の外側面に対応する二本のスライド・レール４５をそれぞれ開設する。前記内設管体４はスライド・レール４５によって下段キャップ１のスライド溝１４の中に設置される。前記内設管体４の中に任意の即席飲料の素材２００を充填することが出来る。前記即席飲料の素材２００は、お茶の粉・朝鮮ニンジン粉・コーヒー粉などであってよい。前記内設管体４下端にはフィルター・キャップ４３１（図７Ｂ参照）を設置してよく、且つフィルター・キャップ４３に数個のフィルター穴４３１を開設することによってお茶の葉・朝鮮ニンジン茶などの即席飲料の素材を浸すことができる。前記内設管体４にはフィルター・キャップ４３の上に数個のフィルター穴（図示せず）を開設することによって、お茶の葉・朝鮮ニンジンなどの即席飲料の素材を浸すことができる。
【００２５】
前記上段キャップ２の中心から下へ向かってスクリュウ・ロッド２６を延伸し、且つ上段キャップ２下端の内側面に掛止部２２を設け、又上段キャップ２の内側面の適所に一個以上の気密リング２３を設置する。前記上段キャップ２のスクリュウ・ロッド２６は内設管体４のネジ穴４４の中に螺合し、上段キャップ２の掛止部２２は下段キャップ１の引っ掛け部１２に掛合する、前記上段キャップ２はプラスチックで製作される。前記薄膜３は、下段キャップ１の下端に封合される。
【００２６】
消費者は、ただ上段キャップ２をひねり回すだけで、上段キャップ２のスクリュウ・ロッド２６がネジ山を押す方式で同期的に内設管体４を下方へ向かって移動させ、一定の距離まで回すと、内設管体４の前端が薄膜３を突き破ることによって、その中の即席飲料の素材２００を容器ビンの中に落としこむ（図８Ａ参照）。尚、フィルター・キャップ４３を取り付ける実施方式もあり、消費者が即席飲料の素材２００を浸す場合は、同様に上段キャップ２をひねり回すと、スクリュウ・ロット２６が内設管体４のネジ穴から離脱する。
【００２７】
この時、前記内設管体４が下方へ移動し、且つ下段キャップ１の当止部１５によって内設管体４のスライド・レール４５を差し止め、即席飲料の素材２００を入れた内設管体４がお湯や水を入れた容器ビンの中に浸される。フィルター・キャップ４３が設置されているため、即席飲料の素材２００が容器ビン１００の中へ落ちることを避けることが出来るので（図８参照）、消費者は即席飲料の素材２００を飲みこまないで済む。
【００２８】
上述詳細な説明は、本考案の実施可能な実施例の具体的説明であり、但しこの実施例は、本考案の登録請求の範囲を制限するものではなく、凡そ本考案の技術精神を逸脱せずになされる等価実施又は変更は、すべて本考案の登録請求の範囲に含まれるものとする。
【００２９】
以上を総合すると、本考案は空間形態上確かに創造的であるのみならず、従来の物品に比べ上述幾多の効能を増進しており、既に新規性及び進歩性の法定実用新案の登録要件を十分満たしておるものとして、茲に出願する次第である。
【図面の簡単な説明】
【００３０】
【図１Ａ】本考案に係る即席注入式飲料の素材を有する容器ビン・キャップの構造の第一実施例の分解図である。
【図１Ｂ】本考案に係る即席注入式飲料の素材を有する容器ビン・キャップの構造の第一実施例の結合図である。
【図２】前記即席注入式飲料の素材を有する容器ビン・キャップの構造の操作概略図である。
【図３】前記即席注入式飲料の素材を有する容器ビン・キャップの構造の第二実施例の説明図である。
【図４】前記即席注入式飲料の素材を有する容器ビン・キャップの構造の第二実施例の操作概略図である。
【図５Ａ】前記即席注入式飲料の素材を有する容器ビン・キャップの構造の第三実施例の説明図である。
【図５Ｂ】前記即席注入式飲料の素材を有する容器ビン・キャップの構造の第三実施例の説明図である。
【図６Ａ】前記即席注入式飲料の素材を有する容器ビン・キャップの構造の第三実施例の操作概略図である。
【図６Ｂ】前記即席注入式飲料の素材を有する容器ビン・キャップの構造の第三実施例の操作概略図である。
【図７Ａ】前記即席注入式飲料の素材を有する容器ビン・キャップの構造の第四実施例の説明図である。
【図７Ｂ】前記即席注入式飲料の素材を有する容器ビン・キャップの構造の第四実施例の説明図である。
【図８Ａ】前記即席注入式飲料の素材を有する容器ビン・キャップの構造の第四実施例の操作概略図である。
【図８Ｂ】前記即席注入式飲料の素材を有する容器ビン・キャップの構造の第四実施例の操作概略図である。
【符号の説明】
【００３１】
１    下段キャップ
１１  封着部
１２  引っ掛け部
１３  内ネジ山
１４  スライド溝
１５  当止部
２    上段キャップ
２１  切り込み管
２２  掛止部
２３  気密リング
２４  板体
２５  差込柱
２６  スクリュウロッド
３    薄膜
４    内設管体
４１  差込穴
４２  外ネジ山
４３  濾過キャップ
４３１ 濾過穴
４４  ネジ穴
４５  スライドレール
１００ 容器ビン
２００ 即席飲料の素材
【図１Ａ】
0003143301.tif 000003
【図１Ｂ】
0003143301.tif 000004
【図２】
0003143301.tif 000005
【図３】
0003143301.tif 000006
【図４】
0003143301.tif 000007
【図５Ａ】
0003143301.tif 000008
【図５Ｂ】
0003143301.tif 000009
【図６Ａ】
0003143301.tif 000010
【図６Ｂ】
0003143301.tif 000011
【図７Ａ】
0003143301.tif 000012
【図７Ｂ】
0003143301.tif 000013
【図８Ａ】
0003143301.tif 000014
【図８Ｂ】
0003143301.tif 000015
【手続補正書】
【提出日】平成20年5月13日(2008.5.13)
【手続補正１】
【補正対象書類名】実用新案登録請求の範囲
【補正対象項目名】全文
【補正方法】変更
【補正の内容】
【実用新案登録請求の範囲】
【請求項１】
下段キャップと、上段キャップと、薄膜と、を含む容器ビン・キャップの構造であって、
前記下段キャップの周縁には、封着部を環設し、且つ封着部上縁には引っ掛け部を設け、更に下段キャップの下端は斜め切り口状を呈しており、
前記上段キャップの中心から下方へ切り込み管を延伸し、前記切り込み管の下端は斜め切り口状を呈し、又上段キャップ下端の内側面には掛止部を設け、更に上段キャップ内側面の適所には一個以上の気密リングを設置し、前記上段キャップの切り込み管は下段キャップの中へ差し込まれ、上段キャップの掛止部が下段キャップの引っ掛け部に掛着し、
前記薄膜は下段キャップ下端の斜め切り口に封合されることを特徴とする、即席注入式飲料の素材を有する容器ビン・キャップの構造。
【請求項２】
下段キャップと、上段キャップと、薄膜と、を含む容器ビン・キャップの構造であって、
前記下段キャップの周縁には封着部を環設し、且つ封着部上縁に引っ掛け部を設け、上段キャップの掛止部と相互に掛着できるようになっており、
前記上段キャップ側辺には板体を下方へ延伸し、且つ上段キャップ下端の内側面には掛止部を設け、更に上段キャップ内側面には一個以上の気密リングを設置しており、前記上段キャップの板体は下段キャップの中に差し込まれ、上段キャップの掛止部は下段キャップの引っ掛け部に掛着できるようになっており、
前記薄膜は、下段キャップの下端に封合され、且つ薄膜と上段キャップの板体端面は貼り合わせて一体となっていることを特徴とする、即席注入式飲料の素材を有する容器ビン・キャップの構造。
【請求項３】
下段キャップと、内設管体と、上段キャップと、薄膜と、を含む容器ビン・キャップの構造であって、
前記下段キャップの周縁には封着部が環設され、且つ封着部上縁には引っ掛け部を設け、上段キャップの掛止部と相互に掛着できるようになっており、また下段キャップ内側面に内ネジ山を設置し、内設管体の外ネジ山と相互に螺合出来るようになっており、
前記内設管体上端面には一個以上の差込穴を開設し、内設管体の外側には外ネジ山が設置しており、前記内設管体は外ネジ山によって下段キャップの内ネジ山と螺合し、
前記上段キャップから下方へ向かって一個以上の差込柱が延伸され、且つ上段キャップ下端の内側面に掛止部があり、更に上段キャップ内側面に一個以上の気密リングを設置してある；前記上段キャップの差込柱は内設管体の差し込み穴中に差し込まれ、上段キャップの掛止部は下段キャップの引っ掛かり部に掛着し、
前記薄膜は、下段キャップの下端に封合されることを特徴とする、即席注入式飲料の素材を有する容器ビン・キャップの構造。
【請求項４】
下段キャップと、内設管体と、上段キャップと、薄膜と、を含む容器ビン・キャップの構造であって、
前記下段キャップの周縁には封着部を環設し、且つ封着部上縁の適所に引っ掛け部を設け、上段キャップの掛止部と相互に掛着できるようになっており、又下段キャップの内側面に対応するスライド溝を設け、内設管体のスライド・レールがその上で上下に滑り移動することが出来るようになっており、又前記スライド溝下端には当止部を形成し、内設管体の位置を制限し、
前記内設管体の上端面にはネジ穴を開設し、内設管体外側面に対応する二本のスライド・レールをそれぞれ設置しており、前記内設管体はスライド・レールによって下段キャップのスライド溝の中に設置されており、
前記上段キャップの中心から下方へ向かってスクリュウ・ロッドが延伸され、且つ上段キャップ下端の内側面に掛止部があり、又上段キャップの内側面に一個以上の気密リングを設置しており、前記上段キャップのスクリュウ・ロッドは内設管体のネジ穴に螺合し、上段キャップの掛止部は下段キャップの引っ掛け部に掛着し、
前記薄膜は下段キャップの下端に封合されることを特徴とする、即席注入式飲料の素材を有する容器ビン・キャップの構造。
【請求項５】
前記下段キャップの上端辺縁は、やや斜め角度を呈し、上・下段キャップの相互掛着する掛着度合いを強めることを特徴とする、請求項１乃至請求項４の何れか１項に記載の即席注入式飲料の素材を有する容器ビン・キャップの構造。
【請求項６】
前記気密リングの取り付け位置は、下段キャップの内側、または外側の中任意の一個所であることを特徴とする、請求項１乃至請求項４の何れか１項に記載の即席注入式飲料の素材を有する容器ビン・キャップの構造。
【手続補正２】
【補正対象書類名】明細書
【補正対象項目名】００２７
【補正方法】変更
【補正の内容】
【００２７】
この時、前記内設管体４が下方へ移動し、且つ下段キャップ１の当止部１５によって内設管体４のスライド・レール４５を差し止め、即席飲料の素材２００を入れた内設管体４がお湯や水を入れた容器ビンの中に浸される。フィルター・キャップ４３が設置されているため、即席飲料の素材２００が容器ビン１００の中へ落ちることを避けることが出来るので（図８Ｂ参照）、消費者は即席飲料の素材２００を飲みこまないで済む。また、前記の第1実施例から第4実施例に使用する気密リング２３の取り付け位置は、下段キャップ１の内側、または外側の中任意の一個所でもよく、必ずしも上段キャップ２に取り付けなくてもよい。